(57)【要約】【課題】  接続する携帯装置の外形が変化しても携帯装置を傾斜させた状態で接続することができ、また、外部から振動を受けたり後方に押圧された場合でも、携帯装置が転倒してしまうことを防止することができる再生装置を提供する。【解決手段】  携帯装置と電気的に接続し、当該携帯装置に記録されているオーディオデータを再生する再生装置において、細長い長方体を形成し上面に携帯装置の接続部と接続可能に成され上方が後方に予め定めた角度傾斜して配設されるコネクターを備え前後にスライド可能に成されるローダー部と、前記ローダー部に装着されるホルダー部とを備え、前記ホルダー部は、上方が後方に傾斜した薄い板状を形成した前面部と、当該前面部の下端の左右部分にそれぞれ前方に突出したアームを備える。【選択図】      図１
2014232256.tif 000002
【特許請求の範囲】
【請求項１】
携帯装置と電気的に接続し、当該携帯装置に記録されているオーディオデータを再生する再生装置において、
細長い長方体を形成し上面に携帯装置の接続部と接続可能に成され上方が後方に予め定めた角度傾斜して配設されるコネクターを備え前後にスライド可能に成されるローダー部と、
前記ローダー部に装着されるホルダー部とを備え、
前記ホルダー部は、上方が後方に傾斜した薄い板状を形成した前面部と、当該前面部の下端の左右部分にそれぞれ前方に突出したアームを備えることを特徴とする再生装置。
【請求項２】
請求項１記載の再生装置において、
前記ホルダー部は、前記ローダー部に対して前方及び後方に一定角度だけ回動自在に成されていることを特徴とする再生装置。
【請求項３】
請求項１または２記載の再生装置において、
前記コネクター及び前記ホルダー部の前面部は、上方が後方に略１５度傾斜していることを特徴とする再生装置。
【請求項４】
請求項１乃至請求項３のいずれか１項に記載の再生装置において、
前記ホルダー部は、前記前面部及び前記アームに弾性体により成形された円筒型の弾性ボスを備えることを特徴とする再生装置。
【発明の詳細な説明】
【技術分野】
【０００１】
本発明は、携帯装置と接続し、当該携帯装置に記録されているオーディオデータを再生する再生装置に関する。
【背景技術】
【０００２】
従来、携帯可能なiPhone（登録商標）やiPod（登録商標）などの携帯装置と接続し、当該携帯装置に記録されているオーディオデータを入力して再生する再生装置が知られている（例えば、特許文献１参照。）。
【０００３】
このような再生装置は、オーディオデータを再生する再生部と、携帯装置を載置した状態で保持するための凹部を備え、当該凹部の上方から携帯装置を載置することにより、携帯装置の下面に備えた接続部と当該凹部の中央部分に備えたコネクターが電気的に接続し、接続部及びコネクターを介して携帯装置内の記録部に記録されているオーディオデータを入力し、入力したオーディオデータを再生部によって再生することによって携帯装置に記録されたオーディオデータを再生することができる。
【０００４】
また、前述した従来の再生装置は、携帯装置を接続した場合に、当該携帯装置の前面に備える表示部の表示を見やすくするために、携帯装置を載置した場合に当該携帯装置の表示部の上方が少し後方に傾斜した状態で保持できるように、携帯装置を載置する部分を予め傾斜させた構成に成されているものが広く知られている。
【０００５】
このように、従来の再生装置は、携帯装置と接続するコネクターを備える凹部に携帯装置を上方から載置するだけで容易に当該携帯装置を保持して接続することができ、また、携帯装置を保持した場合に携帯装置の上方が後方に傾斜した状態で保持することによって、携帯装置に備える表示部の視野を向上することができる。
【先行技術文献】
【特許文献】
【０００６】
【特許文献１】特開２００７−５３５８６６号公報
【発明の開示】
【発明が解決しようとする課題】
【０００７】
近年、オーディオデータを記録する記録部を備えた携帯装置は、様々な種類の携帯装置が存在し、また、特定の製造メーカの携帯装置においても非常に速いサイクルで携帯装置のモデルチェンジが行われている。このような携帯装置は、それぞれ装置の幅、長さ、高さ及び厚さなどの外形が異なり、また、オーディオデータを出力するための接続部の種類や形状が携帯装置ごとに異なる場合が多い。
【０００８】
一方、前述したような従来の再生装置は、特定の携帯装置と接続するための凹部を備えているため、例えば、同じ製造メーカの携帯装置であっても、携帯装置のモデルチェンジによって携帯装置の外形が異なってしまうと、新たにモデルチェンジした携帯装置を載置することができなくなってしまう。このため、従来の再生装置は、例え同一の製造メーカの携帯装置であっても、携帯装置の外形やコネクターの形状が変化する度に、携帯装置を保持する部分を交換したり、また、再生装置本体を交換する必要があるため、再生装置のコストが非常に高くなってしまう。
【０００９】
また、携帯装置を傾斜させた状態で載置する従来の再生装置は、携帯装置の上方が後方に傾斜していることによって携帯装置の重心がコネクターの位置より後方に移動した状態となるため、例えば、再生装置が外部から振動を受けた場合や、また、携帯装置の上方部分に外部から力が加わって後方に押圧された場合、再生装置に受けた振動や、携帯装置の上方部分が後方に押圧されることによって再生装置に載置した携帯装置が後方に転倒してしまい、携帯装置の接続部と接続したコネクターが破損したり、また、携帯装置の接続部が破損してしまう虞がある。
【００１０】
本発明は、携帯装置と接続し、当該携帯装置に記録されているオーディオデータを再生する再生装置において、接続する携帯装置の外形が変化しても携帯装置を傾斜させた状態で安価かつ容易に載置して接続することができ、また、外部から振動を受けたり、携帯装置の上方部分が後方に押圧された場合でも、当該携帯装置が転倒してしまうことを防止することができる再生装置を提供することを目的とする。
【課題を解決するための手段】
【００１１】
上記の課題を解決するために、本願の請求項１記載の発明は、携帯装置と電気的に接続し、当該携帯装置に記録されているオーディオデータを再生する再生装置において、細長い長方体を形成し上面に携帯装置の接続部と接続可能に成され上方が後方に予め定めた角度傾斜して配設されるコネクターを備え前後にスライド可能に成されるローダー部と、前記ローダー部に装着されるホルダー部とを備え、前記ホルダー部は、上方が後方に傾斜した薄い板状を形成した前面部と、当該前面部の下端の左右部分にそれぞれ前方に突出したアームを備えることを特徴とする。
【００１２】
本願の請求項２記載の発明は、請求項１記載の再生装置において、前記ホルダー部は、前記ローダー部に対して前方及び後方に一定角度だけ回動自在に成されていることを特徴とする。
【００１３】
本願の請求項３記載の発明は、請求項１または２記載の再生装置において、前記コネクター及び前記ホルダー部の前面部は、上方が後方に略１５度傾斜していることを特徴とする。
【００１４】
本願の請求項４記載の発明は、請求項１乃至請求項３のいずれか１項に記載の再生装置において、前記ホルダー部は、前記前面部及び前記アームに弾性体により成形された円筒型の弾性ボスを備えることを特徴とする。
【発明の効果】
【００１５】
本発明によれば、携帯装置と接続し、当該携帯装置に記録されているオーディオデータを再生する再生装置において、接続する携帯装置の外形が変化しても携帯装置を傾斜させた状態で安価かつ容易に載置して接続することができ、また、外部から振動を受けたり、携帯装置の上方部分が後方に押圧された場合でも、当該携帯装置が転倒してしまうことを防止することができる再生装置を提供することができる。
【図面の簡単な説明】
【００１６】
【図１】本発明の一実施例である再生装置の概略構成を示す図。
【図２】本実施例の再生装置１のホルダー部７を示す図で、図２（ａ）は正面図、図２（ｂ）は図２（ａ）の側面図。
【図３】本実施例の再生装置１のローダー部２を前方から見た場合における前面パネル２０１を除いた断面図。
【図４】本実施例の再生装置１において、ローダー部２にホルダー部７を装着した状態を示す断面図で、図４（ａ）はホルダー部７の前面部７０１の上方が後方に傾斜した位置でホルダー部７がローダー部２に保持されている状態を示す図、図４（ｂ）は図４（ａ）の状態からホルダー部７を前方に回転させホルダー部７が前方に倒れた位置でホルダー部７がローダー部２に保持されている状態を示す図。
【図５】本実施例の再生装置１において、第１の携帯装置４をローダー部２のコネクター２０３に接続した状態を示す図で、図５（ａ）は、第１の携帯装置４をコネクター２０３に接続した状態を示す斜視図、図５（ｂ）は、第１の携帯装置４をコネクター２０３に接続した状態を示す側方断面図。
【図６】本実施例の再生装置１において、図５に示す第１の携帯装置４よりも外形が小さく、背面に服のポケット等に携帯装置を保持するためのクリップ５０３を備えた第２の携帯装置５をローダー部２のコネクター２０３に接続する状態を示す図で、図６（ａ）は、第２の携帯装置５をコネクター２０３に接続する前の状態を示す斜視図、図６（ｂ）は、図６（ａ）の状態から第２の携帯装置５をコネクター２０３に接続させた状態を示す斜視図。
【図７】本実施例の再生装置１において、図５に示す第１の携帯装置４よりも外形が大きい第３の携帯装置６をローダー部２のコネクター２０３に接続する状態を示す図で、図７（ａ）は、第３の携帯装置６をコネクター２０３に接続する前の状態を示す斜視図、図７（ｂ）は、図７（ａ）の状態から第３の携帯装置６をコネクター２０３に接続させた状態を示す斜視図。
【発明を実施するための最良の形態】
【００１７】
以下、本発明の実施の形態を図面に基づいて説明する。
図１{ HYPERLINK "http://www6.ipdl.inpit.go.jp/Tokujitu/tjitemdrwdb.ipdl?N0000=231&N0001=46&N0005=MAJ0L3eOcIPfQiDIJJsZ&N0500=4JPA%20420021379%20%20%20%20%20%20%20&N0510=1BWnnktQMvjqCX1q0nmc&N0552=9&N0553=000003" \t "tjitemdrwdb" ,}は、本発明の一実施例である再生装置の概略構成を示す図である。
【００１８】
再生装置１は、筐体１０１、フロントパネル１０２及びホルダー部７を備える。再生装置１は、筐体１０１の内部に携帯装置再生部１０３、ディスク再生部１０４、図示しない制御部及び出力端子を備え、フロントパネル１０２にローダー部２、操作部１０５及び表示部１０６を備える。
【００１９】
ローダー部２は、横方向に細長い長方体を形成し、前面に前面パネル２０１を備え、上面に凹部２０２及びコネクター２０３を備える。ローダー部２は、駆動モータまたは手動によって前面パネル２０１がフロントパネル１０２と略同一の面となってローダー部２がフロントパネル１０２に収納される位置と、フロントパネル１０２の前方に突出した位置との間を自在にスライド可能に成されている。
【００２０】
ホルダー部７は、ローダー部２に備える後述する軸受部に軸受けされることにより、ローダー部２に保持される。
【００２１】
操作部１０５は、再生選択キー、再生開始キー、再生停止キー等を備え、これらのキーが押圧されることにより、制御部（図示せず）に再生選択指示信号、再生開始指示信号、再生停止指示信号等の各種指示信号を出力する。制御部は、第１の携帯装置４がローダー部２の凹部２０２に載置され、第１の携帯装置４の接続部４０１とコネクター２０３が電気的に接続された状態の場合、操作部１０５の再生選択キーによって携帯装置の再生が選択された状態で再生開始キーによって再生の開始が指示されると、接続部４０１及びコネクター２０３を介して第１の携帯装置４の記録部に記録されているオーディオデータを入力して再生するよう携帯装置再生部１０３を制御する。携帯装置再生部１０３は、制御部の制御により、第１の携帯装置４に記録されているオーディオデータを再生し、再生したオーディオデータを出力端子（図示しない）に出力する。
【００２２】
ディスク再生部１０４は、図示しないローダによってＣＤ（Compact Disc）、ＤＶＤ（Digital Versatile Disc）等のディスク記録媒体を筐体１０１の内部に格納可能に成される。制御部は、ディスク記録媒体が筐体１０１の内部に格納された状態の場合、操作部１０５の再生選択キーによってディスク記録媒体の再生が選択された状態で再生開始キーによって再生の開始が指示されると、ディスク記録媒体に記録されているオーディオデータを再生するようディスク再生部１０４を制御する。ディスク再生部１０４は、制御部の制御により、ディスク記録媒体に記録されているオーディオデータを再生し、再生したオーディオデータを出力端子（図示しない）に出力する。
【００２３】
出力端子は増幅装置に接続され、携帯装置再生部１０３又はディスク再生部１０４によって再生されたオーディオデータを増幅装置に出力する。増幅装置は出力端子から出力されたオーディオデータをオーディオ信号に変換して増幅し、増幅したオーディオ信号をスピーカに出力する。スピーカは出力されたオーディオ信号を放音する。表示部１０６は、再生装置１が再生しているオーディオデータの情報や再生装置１の再生状態の情報を表示する。
【００２４】
図２は、本実施例の再生装置１のホルダー部７を示す図で、図２（ａ）は正面図、図２（ｂ）は図２（ａ）の側面図である。
【００２５】
ホルダー部７は、プラスチック部材等の合成樹脂部材による金型成形等によって成形され、長方形の薄い板状を形成した前面部７０１を備える。ホルダー部７は、前面部７０１の左右の端部分にそれぞれ後方に延びた側面部７０２を備える。また、ホルダー部７は、前面部７０１の下端の左右部分にそれぞれ前面部７０１に対して略直角に前方に突出したアーム７０４を備える。前面部７０１は、中央部分に前後に貫通する孔７０５を備える。左右の側面部７０２は、それぞれ下方部分に外側に突出する軸７０３を備える。
【００２６】
前面部７０１の前面及び左右のアーム７０４の上面には、それぞれ薄いシリコンゴム部材等の弾性体により成形された複数の円筒型の弾性ボス７０６が接着剤等によって固着されている。
【００２７】
図３は、本実施例の再生装置１のローダー部２を前方から見た場合における前面パネル２０１を除いた断面図である。
【００２８】
ローダー部２は、凹部２０２の底面の左右部分にそれぞれ上方に延びた軸受部２０５を備え、また、凹部２０２の底面の中央部分に上方に突出した凸部２０４を備える。コネクター２０３は、凸部２０４の上面の中央部分に締結ネジまたは接着剤等によって固定されている。左右の軸受部２０５は、それぞれ上方部分に左右方向に貫通する孔２０６を備えると共に、当該孔２０６の外周部分に近接した内側部分にそれぞれ保持部２０７を備える。
【００２９】
図３に示すローダー部２における右側の軸受部２０５の内側面から左側の軸受部２０５の内側面までの長さＣは、図２に示すホルダー部７の右側の側面部７０２の外側面から左側の側面部７０２の外側面までの長さＡよりも僅かに大きい。また、図３に示すローダー部２における凸部２０４の左右の幅Ｄは、図２に示すホルダー部７の右側のアーム７０４の内側面から左側のアーム７０４の内側面までの長さＢよりも小さい。また、図２に示すローダー部２における左右の軸受部２０５に備える孔２０６の内径は、図３に示すホルダー部７の左右の軸７０３の直径よりも僅かに大きい。
【００３０】
図４は、本実施例の再生装置１において、ローダー部２にホルダー部７を装着した状態を示す断面図で、図４（ａ）はホルダー部７の前面部７０１の上方が後方に傾斜した位置でホルダー部７がローダー部２に保持されている状態を示す図、図４（ｂ）は図４（ａ）の状態からホルダー部７を前方に回転させホルダー部７が前方に倒れた位置でホルダー部７がローダー部２に保持されている状態を示す図である。
図４（ａ）及び（ｂ）においては、左方向を再生装置１の前方とし、また、上方向を再生装置１の上方とする。
【００３１】
図４（ａ）及び（ｂ）に示すように、コネクター２０３は、凸部２０４の上面に配設され、上方が後方に予め定めた角度だけ傾斜して配設されている。本実施例においては、コネクター２０３の上方が後方に１５度傾斜しているものとする。
【００３２】
図４（ａ）及び（ｂ）に示すように、軸受部２０５の孔２０６は、コネクター２０３から斜め後方の位置となるように配設される。また、図４（ａ）及び（ｂ）に示すように、左右の軸受部２０５の内側部分にそれぞれ備える保持部２０７は、孔２０６の下方部分から後方部分に亘って配設されている。
【００３３】
ローダー部２にホルダー部７を装着させる場合は、ホルダー部７の左右の側面部７０２をそれぞれ内側に少し撓ませた状態で、ローダー部２の左右にそれぞれ備える軸受部２０５の内側から左右の軸７０３をそれぞれ左右の孔２０６に挿入する。
【００３４】
ホルダー部７は、左右の軸７０３がローダー部２の左右の軸受部２０５の孔２０６にそれぞれ挿入されることにより孔２０６に軸支され、軸７０３を中心に自在に前後に回動可能となる。保持部２０７は、図４（ａ）に示すように、軸７０３を中心としてホルダー部７を後方に回転させた場合、前面パネル２０１の上方が後方に予め定めた角度だけ傾斜した位置で側面部７０２の下方後端部分と当接してホルダー部７がそれ以上後方に回転しない位置となるよう配設され、また、図４（ｂ）に示すように、軸７０３を中心としてホルダー部７を前方に回転させた場合、前面パネル２０１の面が略水平となる位置で側面部７０２の下方前端部分と当接してホルダー部７はそれ以上前方に回転しない位置となるよう配設されている。
【００３５】
ホルダー部７は、前述した保持部２０７によって、軸７０３を中心に後方に回動させた場合、前面パネル２０１の上方が後方に予め定めた角度だけ傾斜した状態となる位置で保持され、また、軸７０３を中心に前方に回動させた場合、前面パネル２０１の面が略水平となる位置で保持される。
【００３６】
本実施例においては、ホルダー部７を後方に回動させ、保持部２０７が前面パネル２０１の上方が後方に傾斜した状態でホルダー部７を保持する場合の傾斜角度を、コネクター２０３の傾斜角度と同様の１５度傾斜させた状態で保持するものとする。
【００３７】
なお、ホルダー部７の孔７０５は、図４（ｂ）に示すように、ホルダー部７を前方に回転させ、前面パネル２０１の面が略水平となる位置でホルダー部７が保持部２０７に保持されている場合、コネクター２０３が孔７０５より内側の位置となるように配設されているものとする。また、ホルダー部７は、図４（ｂ）に示すように、ホルダー部７を前方に回転させ、前面パネル２０１の面が略水平となる位置でホルダー部７が保持部２０７に保持されたている場合、ホルダー部７がローダー部２の上端よりも上方に突出しないように、軸受部２０５及びホルダー部７が配設されているものとする。
【００３８】
本実施例の再生装置１において、携帯装置をローダー部２のコネクター２０３に接続する場合は、図４（ａ）に示すように、ホルダー部７を後方に回転させて前面部７０１の上部が後方に傾斜した状態とし、また、携帯装置をローダー部２のコネクター２０３に接続しないでローダー部２をフロントパネル１０２に収納する場合は、図４（ｂ）に示すように、ホルダー部７を前方に回転させてホルダー部７がローダー部２の上方に突出しない状態とした後、ローダー部２を後方にスライドさせてフロントパネル１０２の内部に収納する。
【００３９】
このことによって、携帯装置をローダー部２に載置せずにローダー部２をフロントパネル１０２に収納する場合は、ホルダー部７を前方に回転させてホルダー部７がローダー部２の上方に突出しない状態でローダー部２をフロントパネル１０２に収納することが可能となるため、携帯装置をコネクター２０３から着脱する度にホルダー部７をローダー部２から着脱する必要がないため、ユーザの利便性に資することができる。
【００４０】
図５は、本実施例の再生装置１において、第１の携帯装置４をローダー部２のコネクター２０３に接続した状態を示す図で、図５（ａ）は、第１の携帯装置４をコネクター２０３に接続した状態を示す斜視図、図５（ｂ）は、第１の携帯装置４をコネクター２０３に接続した状態を示す側方断面図である。
【００４１】
本実施例の再生装置１においては、第１の携帯装置４の左右方向の幅が図２に示すホルダー部７の右側のアーム７０４の内側面から左側のアーム７０４の内側面までの長さＢよりも小さいものとする。
【００４２】
第１の携帯装置４をローダー部２の凹部２０２に載置させる場合は、第１の携帯装置４をコネクター２０３の上方から下方に移動させ、左右のアーム７０４の間を介してホルダー部７の接続部４０１をコネクター２０３に挿入して接続する。第１の携帯装置４は、接続部４０１をコネクター２０３に接続した状態の場合、背面がホルダー部７の前面部７０１に備えた弾性ボス７０６に当接し、第１の携帯装置４の上方が後方に傾斜した状態でホルダー部７に保持される。
【００４３】
このように、ホルダー部７の前面部７０１に備えた弾性ボス７０６によって、上方が後方に傾斜した第１の携帯装置４の背面を保持することにより、例えば、再生装置１が外部から振動を受けた場合でも、第１の携帯装置４が後方に転倒してしまうことを防止する。
【００４４】
図６は、本実施例の再生装置１において、図５に示す第１の携帯装置４よりも外形が小さく、背面に服のポケット等に携帯装置を保持するためのクリップ５０３を備えた第２の携帯装置５をローダー部２のコネクター２０３に接続する状態を示す図で、図６（ａ）は、第２の携帯装置５をコネクター２０３に接続する前の状態を示す斜視図、図６（ｂ）は、図６（ａ）の状態から第２の携帯装置５をコネクター２０３に接続させた状態を示す斜視図である。
【００４５】
第２の携帯装置５をローダー部２のコネクター２０３に接続させる場合は、先ず、図６（ａ）に示すように、第２の携帯装置５の接続部５０１に接続コネクター部材５０２の一端を接続し、次に、図６（ｂ）に示すように、第２の携帯装置５の背面のクリップ５０３でホルダー部７の前面部７０１の上方部分を挟持すると共に、接続コネクター部材５０２の他端をコネクター２０３に接続する。これにより、第２の携帯装置５は、第２の携帯装置５の上方が後方に傾斜した状態でクリップ５０３を介して前面部７０１に保持される。
【００４６】
このように、ホルダー部７の前面部７０１がクリップ５０３を介して上方が後方に傾斜した第２の携帯装置５を保持することにより、例えば、再生装置１が外部から振動を受けた場合でも、第２の携帯装置５が後方に転倒してしまうことを防止する。
【００４７】
図７は、本実施例の再生装置１において、図５に示す第１の携帯装置４よりも外形が大きい第３の携帯装置６をローダー部２のコネクター２０３に接続する状態を示す図で、図７（ａ）は、第３の携帯装置６をコネクター２０３に接続する前の状態を示す斜視図、図７（ｂ）は、図７（ａ）の状態から第３の携帯装置６をコネクター２０３に接続させた状態を示す斜視図である。
【００４８】
第３の携帯装置６をローダー部２のコネクター２０３に接続させる場合は、先ず、図７（ａ）に示すように、接続部６０１に接続コネクター部材６０２の一端を接続し、次に、図７（ｂ）に示すように、アーム７０４の上面に備えた弾性ボス７０６に第３の携帯装置６を載置すると共に、接続コネクター部材６０２の他端をコネクター２０３に接続する。これにより、第３の携帯装置６は、底面がホルダー部７のアーム７０４の上面に備える弾性ボス７０６に当接すると共に、背面がホルダー部７の前面部７０１に備えた弾性ボス７０６に当接し、第３の携帯装置６の上方が後方に傾斜した状態でホルダー部７に保持される。
【００４９】
このように、ホルダー部７のアーム７０４の上面に備えた弾性ボス７０６によって第３の携帯装置６の底面を保持し、ホルダー部７の前面部７０１に備えた弾性ボス７０６によって、上方が後方に傾斜した第３の携帯装置６の背面を保持することにより、例えば、再生装置１が外部から振動を受けた場合でも、第３の携帯装置６が後方に転倒してしまうことを防止する。
【００５０】
以上のように、本実施例の再生装置１は、上方が後方に傾斜した薄い板状を形成した前面部７０１を備えると共に、前面部７０１の下端の左右部分にそれぞれ前方に突出したアーム７０４を備え、更に、前面部７０１の前面及び左右のアーム７０４の上面に、薄いシリコンゴム部材等の弾性体により成形された複数の円筒型の弾性ボス７０６を備えることにより、左右方向の幅がホルダー部７の右側のアーム７０４の内側面から左側のアーム７０４の内側面までの長さよりも小さい第１の携帯装置４をコネクター２０３に接続する場合は、図５（ａ）及び（ｂ）に示すように、ホルダー部７の弾性ボス７０６によって上方が後方に傾斜した第１の携帯装置４の背面を保持し、また、背面に服のポケット等に携帯装置を保持するためのクリップ５０３を備えた第２の携帯装置５をローダー部２のコネクター２０３に接続する場合は、図６（ｂ）に示すように、クリップ５０３で前面部７０１の上方部分を挟持することによって、上方が後方に傾斜した第２の携帯装置５をクリップ５０３を介して前面部７０１によって保持し、更に、第１の携帯装置４よりも外形が大きい第３の携帯装置６をローダー部２のコネクター２０３に接続する場合は、図７（ｂ）に示すように、ホルダー部７のアーム７０４の上面に備えた弾性ボス７０６とホルダー部７の前面部７０１に備えた弾性ボス７０６によって、上方が後方に傾斜した第３の携帯装置６を保持することができる。
【００５１】
このことにより、本実施例の再生装置１は、コネクター２０３に接続する携帯装置の外形が変化しても、携帯装置の上方を後方に傾斜させた状態で安価かつ容易に載置して接続することができる。
【００５２】
また、本実施例の再生装置１は、接続する携帯装置の外形が変化しても、上方が後方に傾斜した携帯装置をホルダー部７に安定させて保持することができるため、例えば、外形の異なるいかなる携帯装置を載置した場合において、再生装置１が外部から振動を受けた場合でも、上方が後方に傾斜した状態で保持された携帯装置が後方に転倒してしまうことを防止することができる。
【００５３】
また、本実施例の再生装置１は、前面部７０１の前面及び左右のアーム７０４の上面に、複数の円筒型の弾性ボス７０６を備えることにより、携帯装置の背面及び底面に弾性ボス７０６を当接させた状態で携帯装置を保持することにより、例えば、再生装置１の外部から振動や衝撃が加わった場合でも、弾性ボス７０６の有する弾性により、ホルダー部７で保持した携帯装置が左右方向または上下方向にズレてしまうことを防止することができる。
【００５４】
本実施例の再生装置１は、ホルダー部７を前方及び後方に回動可能とするために、軸７０３、軸受部２０５及び孔２０６を備える構成としたが、ホルダー部７を前方に倒してローダー部２をフロントパネル１０２に収納する必要がない場合は、軸７０３、軸受部２０５及び孔２０６を備えず、ローダー部２に前面部７０１及びアーム７０４を固定させて備える構成としても良い。このことにより、孔７０５、保持部２０７等も不要となるため、ローダー部２及びホルダー部７の製造コストを低減させることができる。
【００５５】
本実施例の再生装置１は、前面部７０１の前面及び左右のアーム７０４の上面に、複数の円筒型の弾性ボス７０６を備える構成としたが、携帯装置を弾性部材で保持する必要がない場合は、弾性ボス７０６を備えない構成としても良い。このことにより、ホルダー部７の製造コストを低減させることができる。
【００５６】
本実施例の再生装置１は、コネクター２０３の上方を後方に１５度傾斜させて配設し、また、ローダー部２に備える保持部２０７によってホルダー部７をホルダー部７の上方を後方に１５度傾斜させて保持する構成としたが、携帯装置に備える表示部の視界を良好にするためであれば１４度以下であっても１６度以上であっても良いし、また、載置する携帯装置の角度を任意に変化させることが可能な構成としても良い。
【００５７】
本実施例の再生装置１は、ホルダー部７をローダー部２に装着させる構成としたが、携帯装置を接続して載置する箇所であれば、ローダー部２以外のいかなる箇所にホルダー部７を装着する構成として良い。
【産業上の利用可能性】
【００５８】
本発明は、携帯装置と接続し、当該携帯装置に記録されているオーディオデータを再生する再生装置に有用に用いることができる。
【符号の説明】
【００５９】
１  再生装置、１０１  筐体、１０２  フロントパネル、１０３  携帯装置再生部、
１０４  ディスク再生部、１０５  操作部、１０６  表示部、
２  ローダー部、２０１  前面パネル、２０２  凹部、２０３  コネクター、
２０４  凸部、２０５  軸受部、２０６  孔、２０７  保持部、２０８  ケーブル、
４  第１の携帯装置、４０１  接続部、
５  第２の携帯装置、５０１  接続部、５０２  接続コネクター部材、５０３  クリップ、
６  第３の携帯装置、６０１  接続部、６０２  接続コネクター部材、
７  ホルダー部、７０１  前面部、７０２  側面部、７０３  軸、
７０４  アーム、７０５  孔、７０６  弾性ボス
【図１】
2014232256.tif 000003
【図２】
2014232256.tif 000004
【図３】
2014232256.tif 000005
【図４】
2014232256.tif 000006
【図５】
2014232256.tif 000007
【図６】
2014232256.tif 000008
【図７】
2014232256.tif 000009